(57)【特許請求の範囲】
【請求項１】
未定着画像（Ｔ）を記録シート（６）上に加熱・加圧定着させる定着装置において、
熱源（１ａ）を有する回転可能な加熱ロール（１）と、
この加熱ロール（１）に圧接し且つ加熱ロール（１）と共に転動する無端ベルト（２）と、
この無端ベルト（２）の内側に配設されて、前記無端ベルト（２）を加熱ロール（１）に押圧させ且つ前記無端ベルト（２）と加熱ロール（１）との間に接触ニップ域（ｎ）を形成する弾性押圧部材（３）と、
この弾性押圧部材（３）の位置を可変自在に支持する可動支持部材（４）と、
この可動支持部材（４）を移動させ、弾性押圧部材（３）の位置を可変設定することで、無端ベルト（２）と加熱ロール（１）との間に形成される接触ニップ域（ｎ）の加圧状態を変更する駆動手段（５）とを備え、
可動支持部材（４）は、弾性押圧部材（３）が嵌合保持される支持ホルダを具備し、この支持ホルダのうち接触ニップ域（ｎ）の前後に位置する部位に夫々移動支点を設け、夫々の移動支点を揺動支点として支持ホルダを介して弾性押圧部材（３）を揺動自在としたことを特徴とする定着装置。
【請求項２】
請求項１記載の定着装置において、
可動支持部材（４）は、弾性押圧部材（３）の位置を数段階に切り換え、無端ベルト（２）と加熱ロール（１）との間に形成される接触ニップ域（ｎ）全体の加圧荷重を可変設定することに加えて、前記接触ニップ域（ｎ）の出口側の加圧荷重を独立して可変設定するものであることを特徴とする定着装置。
【請求項３】
請求項１又は２記載の定着装置において、
記録シート（６）に関する情報を供給する記録シート情報供給手段（７）と、
この記録シート情報供給手段（７）から供給された記録シート（６）に関する情報に基づいて駆動手段（５）の駆動条件を制御する駆動条件制御手段（８）とを備えたことを特徴とする定着装置。
【発明の詳細な説明】
【０００１】
【発明の属する技術分野】
本発明は、複写機、プリンター、ファクシミリなどの画像形成装置において未定着画像を加熱・加圧定着するための定着装置に係り、特に、加熱ロールに対して無端ベルトを圧接配置し、加熱ロールと無端ベルトとの間に形成された接触ニップ域に記録シートを通過させることにより未定着画像を加熱・加圧定着する所謂ベルトニップ方式の定着装置の改良に関する。
【０００２】
【従来の技術】
従来この種のベルトニップ方式の定着装置としては、例えば熱源を有する回転可能な加熱ロールと、この加熱ロールに圧接し且つ加熱ロールと共に転動する無端ベルトと、この無端ベルトの内側に配設されて、前記無端ベルトを加熱ロールに押圧させ且つ前記無端ベルトと加熱ロールとの間に接触ニップ域を形成する弾性押圧部材とを備えたものが既に知られている（特開昭６２−１３５８６５号公報参照）。
【０００３】
【発明が解決しようとする課題】
このような従来の定着装置にあっては、弾性押圧部材による押圧状態が固定的に決まっていたため、無端ベルトと加熱ロールとの間に形成される接触ニップ域の加圧状態は一義的に決まってしまう。
このため、例えば普通紙に対しては適正な接触ニップ域を形成でき、良好な定着性を得ることができるかも知れないが、普通紙以外の用紙（例えば厚紙、薄紙、封筒などの特殊紙）に対して適正な接触ニップ域を形成しにくく、その分、良好な定着性を得ることが困難になり易いばかりか、封筒などについては特に封筒の開閉蓋部分に紙しわが発生しやすく、また、腰の弱い薄紙については剥離性に支障をきたすという技術的課題が見られた。
【０００４】
本発明は、以上の技術的課題を解決するためになされたものであって、記録シートの種類に関係なく、記録シートのしわ発生や剥離性不良という事態を有効に防止しながら、常に安定した定着性を得ることができる定着装置を提供するものである。
【０００５】
【課題を解決するための手段】
すなわち、本発明の基本的構成は、図１に示すように、未定着画像Ｔを記録シート６上に加熱・加圧定着させる定着装置において、熱源１ａを有する回転可能な加熱ロール１と、この加熱ロール１に圧接し且つ加熱ロール１と共に転動する無端ベルト２と、この無端ベルト２の内側に配設されて、前記無端ベルト２を加熱ロール１に押圧させ且つ前記無端ベルト２と加熱ロール１との間に接触ニップ域ｎを形成する弾性押圧部材３と、この弾性押圧部材３の位置を可変自在に支持する可動支持部材４と、この可動支持部材４を移動させ、弾性押圧部材３の位置を可変設定することで、無端ベルト２と加熱ロール１との間に形成される接触ニップ域ｎの加圧状態を変更する駆動手段５とを備えたものである。
【０００６】
このような技術的手段において、加熱ロール１としては、少なくとも熱源１ａを有するものであればよく、弾性層を有するか否かは特に問わない。但し、加熱ロール１側に弾性層を有する態様であれば、弾性押圧部材３のみならず、可動支持部材４の一部を無端ベルト２を介して加熱ロール１に圧接させることにより、無端ベルト２と加熱ロール１との間の接触ニップ域ｎの一部を構成することが可能であり、その分、接触ニップ域ｎの加圧状態の変更パターンに関する自由度が高まる点で好ましい。
【０００７】
また、無端ベルト２としては、樹脂、金属等どのような材質のものでも適用してよく、この無端ベルト２の配設の仕方としては、張架ロール等に掛け渡すようにしても差し支えないが、無端ベルト２からの放熱を最小限に抑えるという観点からすれば、接触ニップ域ｎ以外に接触する部材を極力なくすようにすることが好ましい。
更に、本願の定着装置の駆動方式については、加熱ロール１及び無端ベルト２のいずれを駆動しても差し支えないが、無端ベルト２を張架しない態様にあっては、加熱ロール１を回転駆動し、無端ベルト２を追従回転させることが好ましい。
【０００８】
更にまた、弾性押圧部材３としては、無端ベルト２を加熱ロール１に押圧させ、無端ベルト２と加熱ロール１との間に接触ニップ域ｎを形成するものであれば、スプリング部材等の弾性付勢手段で剛体の押圧部材を弾性付勢したものであってもよいし、押圧部材の全部若しくは一部に弾性体を用い、この弾性体の弾性変形に伴う弾性力を利用したものでもよいし、あるいは、両者を組み合わせたもの等適宜選定して差し支えない。
【０００９】
また、可動支持部材４としては、弾性押圧部材３の位置を可変自在に支持するものであれば、単独の部材であっても、二以上の複数の部材に分離したものであってもよい。
特に、本発明の基本的構成において、可動支持部材４の好ましい態様としては、弾性押圧部材３が嵌合保持される支持ホルダを具備し、この支持ホルダのうち弾性押圧部材３に隣接し且つ弾性押圧部材３の無端ベルト２の進行方向上流側に位置する部位を無端ベルト２に当接させ、無端ベルト２の接触ニップ域ｎ入口側支持ホルダとの当接部位にて加熱ロール１に対し無端ベルト２を進行方向上流側に向かって拡開配置したものが挙げられる。より好ましくは、更に、支持ホルダのうち弾性押圧部材３に隣接し且つ弾性押圧部材３の無端ベルト２の進行方向下流側に位置する部位を無端ベルト２に当接させ、無端ベルト２の接触ニップ域ｎ出口側支持ホルダとの当接部位にて加熱ロール１に対し無端ベルト２を進行方向下流側に向かって拡開配置したものが挙げられる（［００１４］，［００１５］，図２参照）。
特に、本発明では、無端ベルト２と加熱ロール１との間に形成される接触ニップ域ｎの加圧状態の変更態様の自由度を高めるという観点からすれば、可動支持部材４としては、弾性押圧部材３の位置を数段階に切り換え、無端ベルト２と加熱ロール１との間に形成される接触ニップ域ｎ全体の加圧荷重を可変設定することに加えて、前記接触ニップ域ｎの出口側の加圧荷重を独立して可変設定するものであることが必要である。
そして、このような挙動を与える可動支持部材４の代表的態様としては、弾性押圧部材３が嵌合保持される支持ホルダを具備し、この支持ホルダのうち接触ニップ域ｎの前後に位置する部位に夫々移動支点を設け、夫々の移動支点を揺動支点として支持ホルダを介して弾性押圧部材３を揺動自在としたものが挙げられる。
【００１０】
また、このような定着装置を画像形成装置内に搭載し、定着装置の接触ニップ域ｎを制御するという観点からすれば、記録シート６に関する情報を供給する記録シート情報供給手段７と、この記録シート情報供給手段７から供給された記録シート６に関する情報に基づいて駆動手段５の駆動条件を制御するマイクロコンピュータ等の駆動条件制御手段８とを具備させることが好ましい。
ここで、記録シート情報供給手段７としては、記録シート６に関する情報を供給するものであれば、記録シート６に関する情報を検出するものであってもよいし、あるいは、例えば封筒モードを選択する等記録シート６に関する情報を予め指定するようにするなど適宜選定して差し支えない。
ここで、記録シート６に関する情報としては、記録シート６の厚さや封筒モード等の特殊シートに関するものに限られるものではなく、接触ニップ域ｎの加圧状態による定着性やしわの発生などに起因するパラメータであれば、記録シート６のサイズ、画像の種類（イメージ又は文字）、含水率の程度などの各種パラメータの少なくともいずれか一つを適宜選定して差し支えない。
【００１１】
次に、上述した技術的手段の作用について説明する。
図１において、駆動手段５は、可動支持部材４を移動させ、弾性押圧部材３の位置を可変設定することで、無端ベルト２と加熱ロール１との間に形成される接触ニップ域ｎの加圧状態を変更する。
このような接触ニップ域ｎの加圧状態の変更処理は、例えば記録シート情報供給手段７から供給された記録シート６に関する情報に基づいて駆動条件制御手段８にて駆動手段５の駆動条件を制御することにより行なわれる。
【００１２】
【発明の実施の形態】
以下、添付図面に示す実施の形態に基づいてこの発明を詳細に説明する。
図２は本発明が適用された定着装置の実施の形態１を示す概要説明図である。
同図において、定着装置は、回転可能な加熱ロール１０と、この加熱ロール１０に圧接し且つ加熱ロール１０と共に転動する無端ベルト２０とを備えている。
本実施の形態において、加熱ロール１０は、熱伝導率のよいアルミニウム円筒をコア１１として表面にシリコーンゴムからなる弾性層１２を被覆し、この弾性層１２の被覆面を鏡面状態近くに仕上げたものであり、内部に熱源としてハロゲンランプ１３を内蔵配置したものである。
一方、無端ベルト２０は耐熱性樹脂ポリイミドフィルムなどで、表面にはＰＴＦＥ（ポリテトラフルオロエチレン）等の離型層が形成されている。
【００１３】
また、無端ベルト２０の支持構造は、張架ロールなどを持たず、加熱ロール１０に対向する無端ベルト２０の内側にシリコーンゴム等の耐熱性弾性体からなる弾性押圧部材２１を配設し、この弾性押圧部材２１を可動支持部材２２にて移動可能に支持したものであり、無端ベルト２０を加熱ロール１０に押圧することにより両者間に接触ニップ域ｎを形成し、従動回転する無端ベルト２０と加熱ロール１０との間の接触ニップ域ｎに用紙１５を通過させることにより未定着トナー像を加熱、加圧定着させる構成となっている。
【００１４】
本実施の形態において、弾性押圧部材２１は、加熱ロール１０との間に形成される接触ニップ域ｎに対し基本的に略等しい加圧状態になるテーパ状頂面を有し且つ両側面が平行な断面略台形状の長尺弾性体からなるものである。
そして、可動支持部材２２は、図２及び図３に示すように、弾性押圧部材２１が嵌合保持される接触ニップ域ｎの前後方向に対し非対称形状の凹所２４を有する長尺な支持ホルダ２３と、この支持ホルダ２３が接触ニップ域ｎの前後に位置する一対の揺動支点Ｏ1，Ｏ2のいずれかを中心として揺動自在に支持される一対の揺動機構３１，３２とを備えたものである。
【００１５】
特に、本実施の形態では、支持ホルダ２３の接触ニップ域ｎ出口側のホルダ壁２３ｃの先端には曲率半径の小さい断面円弧状の小径円弧部２５が形成されている。
更に、本実施の形態では、無端ベルト２０内にはベルト走行ガイド２６が配設されており、このベルト走行ガイド２６は、例えば支持ホルダ２３のホルダ底壁２３ａ略中央に下方に向かって一体的に延びる脚部２７と、この脚部２７の先端に緩やかな曲率半径の曲面状ガイド部２８とを備えたものになっており、曲面状ガイド部２８に沿って無端ベルト２０の形状を保持しながら無端ベルト２０を安定走行させるようになっている。
【００１６】
また、第一の揺動機構３１は、支持ホルダ２３における接触ニップ域ｎ入口側のホルダ壁２３ｂの長手方向両端に一端が回動自在に連結される一対のリンクアーム３１１，３１２を有すると共に、このリンクアーム３１１，３１２の他端間を連結ロッド３１３にて連結し、更に、この連結ロッド３１３の略中央付近には例えば円形状の偏心カム３１４を中心から偏位させて固着し、この偏心カム３１４の連結ロッド３１３との固着部から離間した部位を第一駆動モータ３１５のシャフト軸に直接若しくは所定の駆動伝達系を介して駆動連結するようにしたものである。
一方、第二の揺動機構３２は、支持ホルダ２３のホルダ底壁２３ａ下面における接触ニップ域ｎ出口側両端付近には円形状の偏心カム３２１，３２２を配設し、この偏心カム３２１，３２２の非中心位置間を連結ロッド３２３にて連結すると共に、この連結ロッド３２３の延長部を第二駆動モータ３２４のシャフト軸に直接若しくは所定の駆動伝達系を介して駆動連結するようにしたものである。
この結果、本実施の形態では、第一の揺動機構３１は、第二の揺動機構３２の支持ホルダ２３と偏心カム３２１，３２２との接触部（揺動支点Ｏ2）を中心として支持ホルダ２３を揺動させ、一方、第二の揺動機構３２は、第一の揺動機構３１のリンクアーム３１１，３１２と支持ホルダ２３との連結部（揺動支点Ｏ1）を中心として支持ホルダ２３を揺動させるようになっている。
【００１７】
更に、本実施の形態では、定着装置に突入する用紙１５の厚さ（本実施の形態では、例えば普通紙、厚紙、薄紙の三段階）を検知する紙厚センサ５１が用紙搬送路中に設けられている。ここで、紙厚センサ５１としては、例えば用紙厚に応じて変化する圧力を検出する圧力センサが用いられる。
また、手差しトレイ（その他の用紙トレイの場合もあり得る）に封筒をセットするモード（例えば封筒モード）を選択する封筒モードスイッチ（図中封筒モードＳＷ）５２が画像形成装置のコンソールパネル（図示せず）上に設けられている。
そして、制御装置５０は、例えば図４に示す「定着モード変更処理」を実行し、コピースイッチがオンされると、先ず、封筒モードスイッチ５２がオンか否かをチェックし、オンであれば、定着装置の接触ニップ域ｎを「封筒モード」に設定し、封筒モードスイッチ５２がオフであれば、次に、紙厚センサ５１による紙厚検知を行ない、検知された紙厚情報に基づいて、定着装置の接触ニップ域ｎを「普通紙モード」、「厚紙モード」又は「薄紙モード」のいずれかに設定し、これらのモード設定が終了した時点で通常の定着処理を行なうようにする。
【００１８】
次に、本実施の形態における定着装置の各定着モード時の作動状態を示す。
●封筒モード
図５は封筒モード時の定着装置の作動状態を示す。
同図において、第一の揺動機構３１は、第一駆動モータ３１５のシャフト軸とリンクアーム３１１，３１２間の連結ロッド３１３との固着部とを結ぶ直線が水平線ｈ上（水平線ｈに対し角度０゜）に配置され、しかも、第二の揺動機構３２は、偏心カム３２１，３２２の回転軸（連結ロッド３２３軸に相当）と支持ホルダ２３に接触する偏心カム３２１，３２２面とのスパンが最も短寸となる位置（本実施の形態では、揺動支点Ｏ2と偏心カム３２１，３２２の回転軸とを結ぶ直線を基準（０゜）とする）に配置されるようになっている。
このとき、無端ベルト２０と加熱ロール１０との接触ニップ域ｎの入口側開口上下幅が寸法Ｌ程度であり、接触ニップ域ｎの加圧状態は比較的低圧（例えば０．００９８Ｎ／ｍｍ2〜０．０４９Ｎ／ｍｍ2程度）に設定される。
このような状態で、定着装置に所定枚数の封筒（用紙）１５を連続的に通過させたところ、封筒の開閉蓋部分における紙しわの発生は全く見られなかった。
【００１９】
●厚紙モード
図６は厚紙モード時の定着装置の作動状態を示す。
同図において、第一の揺動機構３１は、第一駆動モータ３１５のシャフト軸とリンクアーム３１１，３１２間の連結ロッド３１３との固着部とを結ぶ直線が水平線ｈに対し角度θに配置され、しかも、第二の揺動機構３２は、偏心カム３２１，３２２が基準位置からβだけ図中時計回り方向に回転した位置に配置されるようになっている。
このとき、無端ベルト２０と加熱ロール１０との接触ニップ域ｎの入口側開口上下幅が寸法Ｌ−Ｘ程度になり、接触ニップ域ｎの加圧状態は高圧（例えば０．０４９Ｎ／ｍｍ2〜０．０９８Ｎ／ｍｍ2程度）に設定される。
このような状態で、定着装置に所定枚数の厚紙（用紙）１５を連続的に通過させたところ、定着性の良好な画像が確実に得られることが確認された。
【００２０】
●薄紙モード
図７は薄紙モード時の定着装置の作動状態を示す。
同図において、第一の揺動機構３１は、厚紙モードと同様に、第一駆動モータ３１５のシャフト軸とリンクアーム３１１，３１２間の連結ロッド３１３との固着部とを結ぶ直線が水平線ｈに対し角度θに配置されるが、第二の揺動機構３２は、偏心カム３２１，３２２が、厚紙モード（基準位置からβだけ図中時計回り方向に回転した位置）よりも更にαだけ図中時計回り方向に回転した位置に配置されるようになっている。
このとき、第二の揺動機構３２の偏心カム３２１，３２２が厚紙モード時よりも更に回転することから、支持ホルダ２３の出口側ホルダ壁２３ｃが更に加熱ロール１０側へ移動し、その出口側ホルダ壁２３ｃの先端に形成された小径円弧部２５が無端ベルト２０を介して加熱ロール１０の弾性層１２に当接し、局所的弾性歪み１４を発生させている。
このため、本薄紙モードにあっては、接触ニップ域ｎの出口側に局所的弾性歪み１４が形成されるため、接触ニップ域ｎの出口側での加圧状態が他の部分に比べて高荷重となり、薄紙（用紙）１５が接触ニップ域ｎから開放される際に局所的弾性歪み１４の弾性復帰作用で、そもそも腰が弱く剥離し難い薄紙（用紙）１５が確実に剥離せしめられる。
このような状態で、定着装置に所定枚数の薄紙（用紙）１５を連続的に通過させたところ、薄紙１５の剥離不良は全く見られず、定着性の良好な画像が確実に得られることが確認された。
【００２１】
●普通紙モード
図８は普通紙モード時の定着装置の作動状態を示す。
同図において、第一の揺動機構３１は、第一駆動モータ３１５のシャフト軸とリンクアーム３１１，３１２間の連結ロッド３１３との固着部とを結ぶ直線が水平線ｈに対し角度θ／２（本実施の形態では厚紙モードの半分程度）に配置され、しかも、第二の揺動機構３２は、偏心カム３２１，３２２が基準位置からβ／２（本実施の形態では厚紙モードの半分程度）だけ図中時計回り方向に回転した位置に配置されるようになっている。
このとき、無端ベルト２０と加熱ロール１０との接触ニップ域ｎの加圧状態は、低圧状態と高圧状態との略中間程度に設定される。
このような状態で、定着装置に所定枚数の普通紙（用紙）１５を連続的に通過させたところ、定着性の良好な画像が確実に得られることが確信された。
尚、本実施の形態において、例えばＯＨＰ等の特殊シートについて定着を行なう場合には、例えば普通紙モードを選択すると共に、定着性を確保するために定着装置の定着速度を低速にするようにすればよい。
【００２２】
また、上述した実施の形態にあっては、紙厚センサ５１及び封筒モードスイッチ５２の両方からの情報に基づいて定着モードを切り換えるようにしているが、紙厚センサ５１又は封筒モードスイッチ５２のいずれか一方の情報に基づいて定着モードを切り換えるようにしてもよい。
【００２３】
また、図９は実施の形態１に係る定着装置を組込んだ画像形成装置の一例を示す。
同図における画像形成装置は、転写ドラム方式の電子写真カラー画像形成装置であり、感光ドラムなどの像担持体６１と、この像担持体６１上に各色の静電潜像を書き込むレーザー走査装置などの露光装置６２（本例では、露光ランプ６２１，ミラー群６２２、結像レンズ６２３、撮像装置６２４、画像データ処理部６２５、信号処理部６２６、画像書込み装置６２７にて構成）と、像担持体６１上の静電潜像を各色トナーにて可視像化する回転式現像装置などの多色用現像装置６３と、用紙供給カセット６４からの用紙（図示せず）を保持し、像担持体６１上の各色トナー像を保持した用紙に順次転写する転写ドラム６５（転写コロトロン６５１、除電コロトロン６５２、用紙吸着コロトロン６５３、クリーナ６５４を含む）と、各色トナー像が転写された用紙を定着する定着装置６６とを備えたものであり、当該定着装置６６に例えば実施の形態１に係る定着装置を用いるようにしたものである。
尚、図中、符号６７は定着装置６６の加熱ロール１０にオイルを供給するオイル供給装置、６８は原稿が載置されるプラテン、６９は用紙搬送路７０中の任意の箇所に配設された例えば圧力センサからなる紙厚センサである。
このような画像形成装置においては、例えば紙厚センサ６９からの情報に基づいて定着装置６６の定着モード（接触ニップ域の加圧状態）を紙厚に応じて適宜変更することが可能になり、使用用紙に対し最適な定着モードを選択するようにすれば、良好な定着処理を常時実行することが可能である。
尚、封筒モードスイッチ（図示せず）に連動して封筒に最適な定着モードを選択し、封筒に対して常時良好な定着処理を実行することが可能であることは勿論である。
【００２４】
【発明の効果】
以上説明したように、本発明によれば、加熱ロールに圧接配置される無端ベルトの内側に弾性押圧部材を配設し、この弾性押圧部材を可動支持部材で支持すると共に、この可動支持部材の位置を可変設定することにより、加熱ロールと無端ベルトとの間に形成される接触ニップ域の加圧状態を変更するようにしたので、記録シートの厚さや種類等に応じて、使用対象となる記録シートに最適な接触ニップ域を容易に形成することができる。
特に、本発明においては、可動支持部材として、弾性押圧部材が嵌合保持される支持ホルダを具備し、この支持ホルダのうち接触ニップ域の前後に位置する部位に夫々移動支点を設け、夫々の移動支点を揺動支点として支持ホルダを介して弾性押圧部材を揺動自在としたので、支持ホルダにて弾性押圧部材の形状を保持することができるほか、弾性押圧部材の位置を数段階に切り換え、無端ベルトと加圧ロールとの間に形成される接触ニップ域全体の加圧状態を可変設定することに加えて、接触ニップ域の出口側の加圧状態を独立して可変設定することができる。
このため、記録シートの厚さや封筒等の特殊紙ということに影響されることなく、使用対象となる記録シートに対し、記録シートのしわ発生や剥離性不良という事態を有効に防止しながら、常に安定した定着性を得ることができる。
よって、各記録シートへの適応能力の高い、しかも、安定した定着性能の定着装置を容易に実現することができる。
【図面の簡単な説明】
【図１】  本発明に係る定着装置の概要を示す説明図である。
【図２】  実施の形態１に係る定着装置の概要を示す説明図である。
【図３】  図２中矢印ＩＩＩ方向から要部断面説明図である。
【図４】  実施の形態１で用いられる定着モード変更処理に関するフローチャートである。
【図５】  実施の形態１で用いられる封筒モードの状態を示す説明図である。
【図６】  実施の形態１で用いられる厚紙モードの状態を示す説明図である。
【図７】  実施の形態１で用いられる薄紙モードの状態を示す説明図である。
【図８】  実施の形態１で用いられる普通紙モードの状態を示す説明図である。
【図９】  実施の形態１に係る定着装置が組込まれた画像形成装置の一例を示す説明図である。
【符号の説明】
１…加熱ロール，１ａ…熱源，２…無端ベルト，３…弾性押圧部材，４…可動支持部材，５…駆動手段，６…記録シート，７…記録シート情報供給手段，８…駆動条件制御手段，Ｔ…未定着画像，ｎ…接触ニップ域
【図１】
0003959556.tif 000002
【図２】
0003959556.tif 000003
【図３】
0003959556.tif 000004
【図４】
0003959556.tif 000005
【図５】
0003959556.tif 000006
【図６】
0003959556.tif 000007
【図７】
0003959556.tif 000008
【図８】
0003959556.tif 000009
【図９】
0003959556.tif 000010